(57)【要約】【課題】生体表面から生体内部の状態を監視するモニターを含むシステムの制御方法を提供する。【解決手段】モニター１０は、生体表面の観察領域の少なくとも一部にレーザーを照射するユニット２５と、レーザー照射に起因する散乱光を検出するユニット２７と、散乱光に基づき、生体内部の深度方向の情報を含むプロファイルを形成する３Ｄプロファイラー５４と、プロファイルに基づき設定された、ターゲットが存在する深度にストークス光の波長のレーザーとポンプ光の波長のレーザーとを照射することにより得られるＣＡＲＳ光を検出するＣＡＲＳ解析ユニット５３とを含み、モニター１０の生体情報生成ユニット５６がプロファイルに基づき設定された、ターゲットが存在する深度にストークス光の波長のレーザーとポンプ光の波長のレーザーとを照射することにより得られるＣＡＲＳ光に基づき生体内部の状態を示す第１の情報を出力する。【選択図】図２
2020168414.tif 000002
【特許請求の範囲】
【請求項１】
生体表面から生体内部の状態を監視するモニターを含むシステムの制御方法であって、
前記モニターは、
前記生体表面の少なくとも一部にレーザーを照射するユニットと、
レーザー照射に起因する散乱光を検出するユニットと、
前記散乱光に基づき、前記生体内部の深度方向の情報を含むプロファイルを形成する第１のユニットと、
ストークス光の波長のレーザーとポンプ光の波長のレーザーとを照射することにより得られるＣＡＲＳ光を検出する第２のユニットとを含み、
当該制御方法は、
前記モニターが、前記プロファイルに基づき設定された、ターゲットが存在する深度に前記ストークス光の波長のレーザーと前記ポンプ光の波長のレーザーとを照射することにより得られる前記ＣＡＲＳ光に基づき前記生体内部の状態を示す第１の情報を出力することを含む、制御方法。
【請求項２】
請求項１において、
前記ターゲットは血管である、制御方法。
【請求項３】
請求項１または２において、
前記第１の情報は、グルコース、ヘモグロビンＡ１ｃ、コレステロール、ＡＳＴ、ＡＬＴ、トリグリセロール、Ｇ−ＧＴＰ、ＬＤＨ、ＡＬＰ、アディポネクチン、白血球、赤血球、ヘマトクリット、アルブミンの少なくともいずれかを含む、制御方法。
【請求項４】
請求項１ないし３のいずれかにおいて、さらに、
前記システムは、生体に生理活性物質を与える配送ユニットを有し、
当該制御方法は、前記配送ユニットが、前記第１の情報に基づき、配送する生理活性物質および量を選択することを含む、制御方法。
【請求項５】
請求項４において、さらに、
前記システムは、生体の外部状態を取得または予測する行動監視ユニットを有し、
前記選択することは、前記配送ユニットが、前記第１の情報に加え、前記外部状態の情報により、配送する生理活性物質の量または種類を選択することを含む、制御方法。
【請求項６】
生体表面から生体内部の状態を監視するモニターであって、
前記生体表面の少なくとも一部にレーザーを照射するユニットと、
レーザー照射に起因する散乱光を検出するユニットと、
前記散乱光に基づき、前記生体内部の深度方向の情報を含むプロファイルを形成する３Ｄプロファイラーと、
ストークス光の波長のレーザーとポンプ光の波長のレーザーとを照射することにより得られるＣＡＲＳ光を検出するＣＡＲＳ解析ユニットと、
前記プロファイルに基づき設定されたターゲットが存在する深度に前記ストークス光の波長のレーザーと前記ポンプ光の波長のレーザーとを照射することにより得られる前記ＣＡＲＳ光に基づき前記生体内部の状態を示す第１の情報を出力する生体情報生成ユニットとを有するモニター。
【請求項７】
請求項６において、
前記ターゲットは血管である、モニター。
【請求項８】
請求項６または７において、
前記生体情報生成ユニットは、グルコース、ヘモグロビンＡ１ｃ、コレステロール、ＡＳＴ、ＡＬＴ、トリグリセロール、Ｇ−ＧＴＰ、ＬＤＨ、ＡＬＰ、アディポネクチン、白血球、赤血球、ヘマトクリット、アルブミンの少なくともいずれかを含む前記第１の情報を出力する、モニター。
【請求項９】
請求項６ないし８のいずれかに記載のモニターと、
前記第１の情報に基づき、生体に生理活性物質を与える配送ユニットとを有するシステム。
【請求項１０】
請求項９において、さらに、
生体の外部状態を取得または予測する行動監視ユニットと、
前記第１の情報に加え、前記行動監視ユニットからの情報により、前記配送ユニットから生体に与える生理活性物質の量または種類を制御するユニットとを有する、システム。
【請求項１１】
請求項９または１０において、さらに、
前記第１の情報および前記配送ユニットの動作状況を外部に出力するユニットを有する、システム。
【請求項１２】
生体表面から生体内部の状態を監視するモニターを含むシステムの制御プログラムであって、
前記モニターは、
前記生体表面の少なくとも一部にレーザーを照射するユニットと、
レーザー照射に起因する散乱光を検出するユニットと、
前記散乱光に基づき、前記生体内部の深度方向の情報を含むプロファイルを形成する第１のユニットと、
ストークス光の波長のレーザーとポンプ光の波長のレーザーとを照射することにより得られるＣＡＲＳ光を検出する第２のユニットとを含み、
当該プログラムは、
前記モニターが、前記プロファイルに基づき設定された、ターゲットが存在する深度に前記ストークス光の波長のレーザーと前記ポンプ光の波長のレーザーとを照射することにより得られる前記ＣＡＲＳ光に基づき前記生体内部の状態を示す第１の情報を出力することを実行する命令を含む、プログラム。
【請求項１３】
請求項１２において、さらに、
前記システムは、生体に生理活性物質を与える配送ユニットを有し、
当該プログラムは、前記配送ユニットが、前記第１の情報に基づき、配送する生理活性物質および量を選択することを実行する命令を含む、プログラム。
【請求項１４】
請求項１３において、さらに、
前記システムは、生体の外部状態を取得または予測する行動監視ユニットを有し、
当該プログラムは、前記配送ユニットが、前記第１の情報に加え、前記外部状態の情報により、配送する生理活性物質の量または種類を選択することを実行する命令を含む、プログラム。
【発明の詳細な説明】
【技術分野】
【０００１】
本発明は、生体の内部状態を監視するモニターを含むシステムの制御方法に関するものである。
【背景技術】
【０００２】
特許文献１には、グルコース調節の測定における侵襲性試験の必要性や血液担持マーカーの使用を回避することを可能とする診断キットが開示されている。この診断キットは、所定量の１３Ｃ富化グルコースと呼気採取容器とを含む、被検者における血糖コントロール測定用診断キットであって、１つの実施形態において、複数の呼気採取容器をさらに含み、また別の実施形態において、糖尿病の診断に用いられる、さらに別の実施形態において、インスリン抵抗性の診断に用いられる。
【先行技術文献】
【特許文献】
【０００３】
【特許文献１】特開２００７−１９２８３１号公報
【発明の概要】
【発明が解決しようとする課題】
【０００４】
呼気分析は非侵襲性ではあるが、連続して生体の状態を監視することが難しい。
【課題を解決するための手段】
【０００５】
本発明の一態様は、生体表面から生体内部の状態を監視するモニターを含むシステムの制御方法である。モニターは、生体表面の少なくとも一部にレーザーを照射するユニットと、レーザー照射に起因する散乱光を検出するユニットと、前記散乱光に基づき、前記生体内部の深度方向の情報を含むプロファイルを形成する第１のユニットと、ストークス光の波長のレーザーとポンプ光の波長のレーザーとを照射することにより得られるＣＡＲＳ光を検出する第２のユニットとを含み、当該方法は、モニターが、プロファイルに基づき設定された、ターゲットが存在する深度にストークス光の波長のレーザーとポンプ光の波長のレーザーとを照射することにより得られるＣＡＲＳ光に基づき生体内部の状態を示す第１の情報を出力することを含む。
【０００６】
本発明の他の態様の１つは、生体表面から生体内部の状態を監視するモニターである。モニターは、生体表面の少なくとも一部にレーザーを照射するユニットと、レーザー照射に起因する散乱光を検出するユニットと、散乱光に基づき、生体内部の深度方向の情報を含むプロファイルを形成する３Ｄプロファイラーと、ストークス光の波長のレーザーとポンプ光の波長のレーザーとを照射することにより得られるＣＡＲＳ光を検出するＣＡＲＳ解析ユニットと、プロファイルに基づき設定されたターゲットが存在する深度にストークス光の波長のレーザーとポンプ光の波長のレーザーとを照射することにより得られるＣＡＲＳ光に基づき生体内部の状態を示す第１の情報を出力する生体情報生成ユニットとを有する。
【０００７】
本発明のさらに異なる他の態様の１つは、生体表面から生体内部の状態を監視するモニターを含むシステムの制御プログラムである。モニターは、生体表面の少なくとも一部にレーザーを照射するユニットと、レーザー照射に起因する散乱光を検出するユニットと、散乱光に基づき、生体内部の深度方向の情報を含むプロファイルを形成する第１のユニットと、ストークス光の波長のレーザーとポンプ光の波長のレーザーとを照射することにより得られるＣＡＲＳ光を検出する第２のユニットとを含み、当該プログラムは、モニターが、プロファイルに基づき設定された、ターゲットが存在する深度にストークス光の波長のレーザーとポンプ光の波長のレーザーとを照射することにより得られるＣＡＲＳ光に基づき生体内部の状態を示す第１の情報を出力することを実行する命令を含む。
【０００８】
近赤外分光法、ラマン分光法などの分光分析技術を用いて血液などの体液中に存在する化合物や、皮下組織を分析することができ、さらに、その分析結果に基づいて体液中の生化学物質、細胞成分などを分析できる。このため、分光分析により生体情報を取得できるはずである。しかしながら、生体中の各部分において生化学物質の濃度や、細胞成分は異なる。このため、取得された情報は、生体表面下の様々な構造の情報を含み、目的とする情報が他の情報やノイズに埋もれてしまい、生体の状態を推定することは難しい。
【０００９】
上記のモニターおよび制御方法においては、生体内部の深度方向の情報を含むプロファイルをまず形成し、そのプロファイルに基づき設定された、血管などのターゲットが存在する深度にストークス光の波長のレーザーとポンプ光の波長のレーザーとを照射し、それにより得られるＣＡＲＳ光に基づき生体内部の状態を示す第１の情報を出力する。したがって、生体表面下の限られた部分に関する情報を選択的に取得できるので、目的とする情報が他の情報やノイズに埋もれてしまうことを抑制できる。
【００１０】
本発明の他の態様の１つは、上記に記載のモニターと、第１の情報に基づき、生体に生理活性物質を与える配送ユニットとを有するシステムである。システムは、さらに、生体の外部状態を取得または予測する行動監視ユニットと、第１の情報に加え、行動監視ユニットからの情報により、配送ユニットから生体に与える生理活性物質の量または種類を制御するユニットとを有してもよい。システムは、第１の情報および配送ユニットの動作状況を外部に出力するユニットを有してもよい。システムの制御方法は、配送ユニットが、第１の情報に基づき、配送する生理活性物質および量を選択することを含んでもよい。システムの制御方法は、配送ユニットが、第１の情報に加え、外部状態の情報により、配送する生理活性物質の量または種類を選択することを含んでもよい。
ターゲットの一例は血管である。第１の情報は、グルコース、ヘモグロビンＡ１ｃ、コレステロール、ＡＳＴ、ＡＬＴ、トリグリセロール、Ｇ−ＧＴＰ、ＬＤＨ、ＡＬＰ、アディポネクチン、白血球、赤血球、ヘマトクリット、アルブミンの少なくともいずれかを含んでもよい。
【図面の簡単な説明】
【００１１】
【図１】健康管理システムを示すブロック図。
【図２】モニターを示すブロック図。
【図３】観察領域と観測スポットを示す図。
【図４】ラマン分光スペクトルを示す図。
【図５】イベント認識モジュールを示すブロック図。
【図６】グルコースの変化を示す図。
【図７】健康管理システムの動作を示すフローチャート。
【発明を実施するための形態】
【００１２】
以下では、皮下の毛細血管をターゲット部分として、その分光スペクトルを取得することにより、血管中を流れる成分、たとえばグルコースの量を含む情報を取得するケースを例に説明する。
【００１３】
本発明のモニターにおいては、プローブの観察窓を介してアクセスできる生体表面の観察領域に複数の観測スポットを設定する。限定するユニットは、まず、複数の観測スポットから得られる散乱光に基づいて、生体内部のターゲット部分の情報が得られるであろう観測スポットを第１の観測スポットとして限定あるいはロックする。ターゲット部分が生体内部の毛細血管であれば、散乱光に含まれるレーザードップラー効果のスペクトルに着目し、血流が観察される観測スポットであるか否かで第１の観測スポットとしてロックできる。ターゲット部分は毛細血管に限られず、たとえば、リンパ腺であれば、リンパ腺に含まれる成分を分光分析した際に最大強度で検出される成分のスペクトルに着目し、その成分が観察される観測スポットであるか否かで第１の観測スポットとしてロックできる。
【００１４】
限定するユニットは、第１の観測スポットをロックする際に２次元的なプロファイルだけではなく、深度方向のプロファイルを含めた３次元的なプロファイルを求めてもよい。毛細血管であれば、レーザードップラー効果に含まれる血流成分から、数学モデルを用いて深度方向のプロファイルを求めることができる。ラマンスペクトルを測定するのであれば、空間オフセットラマン分光法（ＳＯＲＳ、Spatially Offset Raman Spectroscopy）
を使用できる。
【００１５】
毛細血管の血流が観測される第１の観測スポットは、毛細血管の上またはその近傍に位置すると想定される。生体情報となる第１の情報を出力するユニットは、第１の観測スポットまたはその周りの観測スポットにロックし、少なくとも１つの成分の分光スペクトルを取得し、その強度に基づき生体内部の状態を示す第１の情報を出力する。
【００１６】
このモニターにおいては、第１の観測スポットまたはその周りにおいて、生体表面からの深度の異なる複数の部分の、第１の成分の分光スペクトルを取得し、第１の成分の分光スペクトルの強度に基づき、第１の観測スポットをさらに限定または更新するユニットを設けることは有効である。分光法により生体表面からの深度の異なる複数の部分のスペクトルを取得し、スペクトルに含まれる第１の成分の強度からターゲット部分のスペクトルであることを判断できる。たとえば、血管中に存在する生化学物質の濃度を検出したい場合、人間であれば、生体表面の近傍は、表面を形成する皮膚（表皮）、真皮、皮下組織により形成され、血管は真皮または皮下組織に存在することが多い。しかしながら、表面から血管までの距離は、部位により異なり、さらに患者それぞれにより異なり、そのときの姿勢によっても異なることがある。
【００１７】
このモニターにおいては、深度の異なるスペクトルの中で、血液中に最も多く存在する成分の強度が最も強いスペクトルを判断することにより、血液のスペクトルであることを判断できる。そして、血液のスペクトルに含まれる１または複数の成分の強度を判断することにより、血液中の濃度をベースにした生体の内部状態を示す第１の情報を出力できる。ターゲット部分は血管に限られず、皮下脂肪や、リンパ節であってもよく、深度の異なる複数のターゲット部分の成分に基づいて生体内部の状態を示す第１の情報を生成してもよい。血液中のスペクトルから得られる代表的な臨床生化学分析用の値は、コレステロール、血糖値（グルコース）、ＨｂＡ１ｃなどの糖化ヘモグロビン、ＡＳＴ、ＡＬＴ、トリグリセロール、Ｇ−ＧＴＰ、ＬＤＨ、ＡＬＰ、アディポネクチンなどである。
【００１８】
深度調整の容易な分光分析方法の１つは、共焦点ラマン分析である。１または複数の共焦点ラマン分析ユニットを用いることにより、ターゲット部分に存在する成分または細胞の３次元情報を得ることも可能である。分光分析用の入射光は、ＬＥＤまたはその他の比較的波長帯の広いものであってもよいが、波長帯の狭いレーザー光であることが望ましい。波長変換が可能なチューナブルレーザーを光源として用いると、深度調整が容易となり、さらに、共鳴ラマン分光法により、ターゲット部分のより精度の高いスペクトルを得ることができる。
【００１９】
深度方向のプロファイルを生成できる分光分析方法の他の１つは、空間オフセットラマン分光法（ＳＯＲＳ）である。さらに、高精度で深度方向のプロファイルを生成できる方法として、本発明者は、コヒーレント反ストークスラマン分光法（ＣＡＲＳ、Coherent Anti-stokes Raman Spectroscopy (scattering)）に用いられるポンプ光またはストークス光の照射角度を制御することにより、空間オフセットされたＣＡＲＳスペクトルを取得することを提唱している。
【００２０】
複数の観測スポットは、レーザーを複数の観測スポットに選択的に照射することにより設定してもよく、散乱光を複数の観測スポットのそれぞれから選択的に取得できるものであってもよい。したがって、プローブは、照射するユニットからレーザーを複数のスポットのそれぞれに選択的に導く出力ユニットを含んでもよい。プローブは、複数の観測スポットのそれぞれから散乱光を検出するユニットに導く入力ユニットを含んでもよい。出力ユニットおよび入力ユニットの一例は、ＭＥＭＳあるいはマイクロマシンで形成されるミラーまたはミラーの集合体（ＭＤ、Micro-mirror Device）である。観察領域内に、１つまたは複数のレーザースポットを断続的または連続的に形成でき、多数の観測スポットを形成できる。
【００２１】
出力ユニットおよび入力ユニットの他の例は、フォトニクス結晶ファイバ（ＰＣＦ、Photonic crystal fiber）、マクロストラクチャーファイバ（Micro-structured Fiber）、ホーリーファイバー（Holey fiber）、バンドルファイバーなどの多焦点を形成する光学部材と、ＭＥＭＳまたはマイクロマシンで形成されるシャッターマトリクス、あるいはＭＤとの組み合わせである。観察領域内に、１つまたは複数のスポットを断続的に形成でき、多数の観測スポットを形成できる。
【００２２】
出力ユニットおよび入力ユニットは、観察領域に１〜１０００μｍの間隔で複数の観測スポットを設定できるものであることが望ましい。複数の観測スポットは観察領域に１０〜１００μｍの間隔で設定されることがさらに好ましい。皮下組織の平均的サイズは、数μｍから数１０μｍであり、モニターは、数１００μｍあるいはそれ以下の解像度を備えていることが好ましい。
【００２３】
プローブは、皮膚に密着していることが望ましい。ジェルなどの流動物を介して皮膚に取り付けてもよいが、ユーザーの利便性と装着感とを考えると、拡散性多孔質膜を介して生体表面に観察窓を密着することが望ましい。拡散性多孔質膜の一例は、ＰＤＭＳ（ポリジメチルシロキサン）、ハイブリッドシリカ製の薄膜である。
【００２４】
このモニターと、モニターから得られる第１の情報に基づき、生体に生理活性物質を与える配送ユニットとを組み合わせることにより、投薬システムを提供できる。このシステムは、患者の治療、体調管理、リハビリなどに用いられる。生理活性物質は、生体物質であるか合成物質であるかを問わず、生物に対して生理作用または薬理作用を発言する物質単体または化学物群を示す。生理活性物質は、ビタミン、ミネラル、酵素、ホルモンなどを含み、ホルモンの一例はインスリンである。
【００２５】
このシステムは、さらに、生体の外部状態を取得または予測する行動監視ユニットを有することが望ましい。システムは、さらに、第１の情報に加え、行動監視ユニットからの情報（第２の情報）に基づいて配送ユニットから生体に与える生理活性物質の量または種類を制御するユニットを有することが望ましい。患者の生活リズム、行動パターンから患者の近未来の生体内の状況を予測したり、実際に食事をしていたり、運動していたりすることから生体内の今後の状況の変化を予測することにより、投与する生理活性物質のタイプや量を、現状の生体の状況に対して先行して制御することができる。このため、患者の状況が、行動にマッチした状態になるように、生理活性物質のタイプおよび量を制御できる。
【００２６】
さらに、このシステムは、第１の情報および配送ユニットの動作状況を外部に出力するユニットを有することが望ましい。このシステムを通じ、医師や看護師などが患者を遠隔監視することができる。
【００２７】
本明細書において説明する、上記のモニターを含むシステムの制御方法は、プログラムまたはプログラム製品として適当な記録媒体に記録したり、インターネットを介して提供できる。また、このシステムの制御方法は、生体表面から生体内部の状態を分光法によりモニターすることを含む方法として提供してもよい。この方法は、患者を治療する方法として提供してもよく、ユーザーの体調を管理する方法として提供してもよく、発作などを未然に防ぐための方法として提供してもよい。
【００２８】
システムが、生体に生理活性物質を与える配送ユニットを有する場合は、制御方法は、第１の情報に基づき、配送ユニットが配送する生理活性物質および量を選択するステップを含むことが望ましい。
【００２９】
システムが、生体の外部状態を取得または予測する行動監視ユニットを有する場合は、選択するステップは、第１の情報に加え、外部状態の情報により、配送ユニットが配送する生理活性物質の量または種類を選択することを含むことが望ましい。
【００３０】
図１に、非侵襲性のヘルス・バイタル（健康・生命）制御プラットフォーム（制御または調整システム）の概略構成をブロック図により示している。このシステム１は、センサープラットフォーム１０と、解析エンジン１２０と、ドラッグ配送ユニット１３０と、イベント追跡ユニット１４０とを含む。なお、以下においては、糖尿病の患者の生命を維持し、さらに、患者が健康で活力ある生活を送ることができるように患者の健康を管理するシステム１を例に説明するが、このシステム１をプラットフォームとして対応可能な疾病は糖尿病に限定されない。
【００３１】
センサープラットフォーム（モニター）１０は、糖尿病の患者に対しては、非侵襲で血液中のグルコースの量を連続してモニターできるものである。センサープラットフォーム１０の一例は、波長可変型のＦＴＩＲ−ラマン分光分析ユニットである。センサープラットフォーム１０に搭載されるセンサーは１種類である必要はなく、複数種類であってもよく、同じタイプのセンサーを複数個備えていてもよい。たとえば、赤外分光分析装置、近赤外分光分析装置、質量分析装置、イオン移動度センサーなど何れかまたは複数のタイプのセンサーが共通に生体表面に装着されるものであってもよく、生体表面に分散して取り付けられるものであってもよい。
【００３２】
モニター１０に含まれるセンサーは、ＭＥＭＳ等の技術により人体あるいは生体に取り付けられたときに生活または活動の障害になりにくい程度にコンパクトで軽量であり、さらに、軽量のバッテリーで長時間稼働するように低消費電力であることが要求される。電源は、小型バッテリーであってもよく、太陽電池などの外界エネルギーにより発電するものや、体温、その他の生体反応、さらには生体の活動により発電するものであってもよく、これらを組み合わせたものであってもよい。
【００３３】
モニター１０は、高精度で、自動校正機能を備えているものであることが要望される。自動校正機能は、生体の表面から生体内部の測定ターゲット部分を自動的に発見し、そのターゲット部分からの情報を生体の活動等によらず自動追尾または再発見する機能を含む。
【００３４】
糖尿病の患者に対してモニター１０により測定することが望ましい情報（生体情報）１５０は、血液中のグルコース濃度、糖化ヘモグロビン濃度（ＨｂＡ１ｃ濃度）、糖化アルブミン濃度、血圧、血中酸素量、がんマーカー、その他の健康および生命維持に関連する要素である。
【００３５】
図２に、モニター１０の一例としてラマン分光分析ユニット１１を示している。このユニット１１は、光学エンジン２０と、チューナブルレーザーエンジン３０と、検出器４０と、信号処理エンジン５０とを含み、いずれもチップ化され、それらが積層された状態で生体（人体）７の表面（皮膚）２に装着できるようになっている。
【００３６】
光学エンジン２０は、ＭＥＭＳ光学チップであり、皮膚２に装着される観察窓２１を含むプローブ２３と、観察窓２１を介してアクセスされる皮膚２の観察領域３の少なくとも一部にレーザーを照射するユニット２５と、観察領域３に２次元に分散するように断続的に、または、観察領域をスキャンするように連続的に形成される複数の観測スポットのそれぞれから、レーザー照射に起因する散乱光を検出するユニット２７とを含む。
【００３７】
レーザー照射ユニット（１次光学系）２５は、ＣＡＲＳに対応しており、チューナブルレーザーエンジン３０から得られる角振動数ωｓのストークス光３１をガイドする第１の光路２５ａと、角振動数ωｐのポンプ光３２をガイドする第２の光路２５ｂとを含む。第１の光路２５ａおよび第２の光路２５ｂとは、偏光板Ｐ、半波長板ＨＷＰ、１／４波長板ＱＷＰなどを含む。レーザー照射ユニット２５は、ダイクロイックビーム結合器ＢＣによりストークス光３１とポンプ光３２とを合成し、プローブ２３を介して観察領域３にレーザー光を照射する。
【００３８】
レーザーエンジン３０は、複数の波長のレーザー光を出力するチップタイプのレーザーチップまたはＬＥＤユニットである。波長可変レーザーエンジンとしては、リトロウ型のレーザーエンジン、リットマン型のレーザーエンジンなどが使用できる。レーザーエンジン３０は、特に、波長可変のストークス光３１と、波長可変のポンプ光３２とを供給できるものであることが望ましい。ストークス光３１の波長範囲の一例は、１０００〜１１００ｎｍであり、９００〜１４５０ｎｍであることがさらに好ましい。ポンプ光３２の波長範囲の一例は７００〜８００ｎｍである。レーザーエンジン３０は、これらの波長範囲のレーザー光を複数の光源ユニットの組み合わせで生成してもよい。
【００３９】
検出ユニット（２次光学系）２７は、プローブ２３から供給される角周波数ωａｓのアンチストークス光を分離するビームセパレータＢＳと、観察領域３に２次元に分散するように形成される複数の観測スポットから得られる散乱光（二次光）２８を光検出器４０に供給する光路２７ａとを含む。検出ユニット２７は、検出器４０に散乱光２８を集光させるためのレンズＬ、レーザーブロックフィルタ、回折格子などを含んでいてもよい。検出ユニット２７は、異なるタイプの検出器、たとえば、ＣＣＤとフォトダイオードとに散乱光２８を分割して供給するようにフリップミラー（flip mirror）を含んでいてもよい。
【００４０】
光検出器４０は、ＣＣＤまたはＣＭＯＳのように検出エレメントが２次元に配置されたセンサーであってもよい。光検出器４０は、フォトダイオードであってもよく、応答速度が速く、低雑音で周波数特性に優れたＩｎＧａＡｓフォトダイオードが適している。特に、プローブ２３が観測スポットの高解像度の選択機能を備えている場合は、光検出器４０の側では観測スポットの選択機能が不要か、または低解像度の選択機能があればよい。したがって、検出器４０としてフォトダイオードを適用でき、低雑音の信号を出力できる。
【００４１】
プローブ２３は、観察窓２３を介してアクセスできる観察領域３に複数の観測スポットを形成する出力ユニット２３ａと、複数の観測スポットから選択的に散乱光２８を取得できる入力ユニット２３ｂとを含む。このプローブ２３は、出力ユニット２３ａとしてＭＥＭＳタイプの多面鏡が集積されたＭＤユニットを用い、入力ユニット２３ｂとして、ＭＤユニットとマルチファイバーとの組み合わせを採用し、多数の観測スポットからクロストークがない状態で散乱光２８を選択して取得できるようにしている。
【００４２】
図３に、観察領域３に、複数の観測スポット５が設定される様子を示している。この例では、６００μｍ×６００μｍの観察領域３に、５０μｍピッチで１２×１２個の観測スポット５を設定している。観察領域３のサイズ、観測スポット５のピッチ、数は一例であり、これに限定されない。観測スポット５は一定のピッチでなくてもよく、また、ＭＤユニットを用いて連続的に設定してもよい。それぞれの観測スポット５の位置は再現性が高いことが要望される。また、観測スポット５のピッチは、検出対象である毛細血管８のサイズ、たとえば直径が数μｍ〜数１０μｍを十分に検出できるとともに、毛細血管８の情報を選択して取得できるものであることが望ましい。したがって、観測スポット５のピッチは、１〜１０００μｍ程度が好ましく、１０〜１００μｍ程度がさらに好ましい。
【００４３】
光学エンジン２０は、３Ｄ共焦点ラマンマイクロスコピーとしての機能を備えたものであってもよい。
【００４４】
光学エンジン２０を制御する信号処理エンジン５０は、レーザードップラー解析ユニット５１と、ＳＯＲＳ解析ユニット５２と、ＣＡＲＳ解析ユニット５３と、３Ｄプロファイルユニット（３Ｄプロファイラー）５４と、メモリ５５と、生体情報生成ユニット５６とを含む。ドップラー解析ユニット５１およびＳＯＲＳ解析ユニット５２とは、複数の観測スポット５から得られる散乱光２８に基づき、複数の観測スポット５の中から生体７の内部のターゲット部分である毛細血管８の情報を含む散乱光２８が得られると判断される第１の観測スポット５ａを限定するユニットとして機能する。
【００４５】
３Ｄプロファイラー５４は、レーザードップラー解析ユニット５１と、ＳＯＲＳ解析ユニット５２との出力に基づき、毛細血管８を２次元的にカバーする第１の観測スポット５ａをロックし、それら第１の観測スポット５ａに対する深度方向のプロファイルを形成する。これにより、観察領域３に関わる毛細血管８の３次元プロファイル５７が形成され、メモリ５５に蓄積される。毛細血管８の３次元プロファイル５７は１つに限られない。また、３次元プロファイル５７は、プローブ２３を付け替える度に異なり、また、装着時間が経過すると姿勢が変わるなどの要因で異なることがある。
【００４６】
ＣＡＲＳ解析ユニット５３は、第１の観測スポット５ａおよび／またはその周りの観測スポットから、少なくとも１つの成分の分光スペクトルを取得し、その強度に基づき生体７の内部の状態を示す第１の情報５８を出力するユニットとして機能する。さらに、ＣＡＲＳ解析ユニット５３は、第１の観測スポット５ａおよび／またはその周りにおいて、生体表面２からの深度の異なる複数の部分の、第１の成分の分光スペクトルを取得し、第１の成分の分光スペクトルの強度に基づき、第１の観測スポット５ａを検証し、必要であればさらに限定または更新するユニットとして機能する。
【００４７】
生体情報生成ユニット５６はＣＡＲＳ解析ユニット５３から得られた情報５８を含めた生体情報５９を生成し、出力する。
【００４８】
本例のＣＡＲＳ解析ユニット５３は、ＳＯＲＳとしての機能を備えており、ストークス光３１およびポンプ光３２の一方、たとえば、ストークス光３１を第１の観測スポット５ａのいずれかに照射し、出力ユニット２３ａのＤＭの何れかの角度を制御することにより、ポンプ光３２をストークス光３１に対して異なる角度で照射する。このレーザー光の散乱光２８を、位置選択性（解像度）が優れた入力ユニット２３ｂで、レーザー光の入射した位置からオフセットした観測スポット５で取得する。これにより、深さ方向に異なる位置の構造からＣＡＲＳスペクトルを得ることができる。
【００４９】
レーザーエンジン３０が共焦点ラマンスペクトルスコピの場合も、レーザーの焦点位置を深さ方向に変えることが可能である。このため、生体表面（皮膚表面）２から生体内部、すなわち、皮下組織の３Ｄラマンスペクトルを得ることが可能である。
【００５０】
深さ方向に異なるラマンスペクトル中に、血管を流れる血液のラマンスペクトルが含まれていれば、事前に得られた３Ｄプロファイル５７が検証できる。血液のラマンスペクトルであるか否かは、血液中にもっとも濃度が高い、または血液中で最も濃度が低くなる成分のラマンスペクトル成分（スペクトルピーク）を選択することにより判断できる。たとえば、グルコースは、皮下組織、真皮内に対し、血管中が最も高く、グルコース濃度に基づいてＣＡＲＳスペクトルまたは３Ｄラマンスペクトルを解析することにより血管位置を判断できる。グルコースの代わりに、または、グルコースに加えて、血球（白血球、赤血球）を含むヘマトクリットや、アルブミンなどの血管中に主に含まれる成分のラマンスペクトルに注目して血管位置を判断してもよい。
【００５１】
血管位置（血管深度）を判断できれば、その位置におけるラマンスペクトルは血液成分を反映したものであり、血液中に含まれる他の成分濃度、たとえば、糖化赤血球濃度などの血液成分の情報（血液成分情報、生体内部情報、第１の情報）を、位置が判明したラマンスペクトルからリアルタイムまたは最少サンプリングタイムの間隔で連続して得ることができる。生体表面に取り付けられたモニター（センサープラットフォーム）１０と毛細血管８との距離（深さ）および位置（角度）は、人体の姿勢や動きにより変わる。このため、血管位置を発見するプロセスは定期的に繰り返し行われることが望ましい。
【００５２】
図４に、グルコースのラマンスペクトル（破線）と、牛血から得られるラマンスペクトル（実線）とを比較して示している。グルコースのラマンシフトは４００ｃｍ−１、１１００ｃｍ−１前後に表れており、牛血においても観測される。したがって、ラマンスペクトルにより血中のグルコース濃度を測定できることが分かる。なお、図４に示したスペクトルは、自発ラマン散乱である。
【００５３】
生体表面（皮膚）２にプローブ２３を取り付ける場合、生体表面である皮膚２に観察窓２１ができるだけ隙間なく密着しているとともに、皮膚２との間に水分ができるだけ存在しないことが望ましい。隙間や水分が存在してもレーザーパワーを調整するなどの手段で測定は可能であるが、高精度で情報を取得するためにはできるだけ存在しないことが望ましい。
【００５４】
本例においては、プローブ２３を、拡散性多孔質膜４５を介して皮膚２に密着させている。皮膚呼吸に伴う水分（汗）の存在が生体内部の情報を含むラマンスペクトルを得る際の障害になるが、拡散性多孔質膜（透過膜）４５を皮膚２との間に設けることで、水分を継続的に外部に放出できる。拡散性多孔質膜４５はレーザー光３１および３２、散乱光２８は透過し、上記の観測にはほとんど支障がない。また、拡散性多孔質膜４５は弾性があるので人が動いても皮膚２との間に隙間が生ずるのを抑制できる。拡散性多孔質膜４５はプローブ側に貼り付けても皮膚側に貼りつけてもよい。拡散性多孔質膜４５の一例はＰＤＭＳ（ポリジメチルシロキサン）、ハイブリッドシリカなどである。
【００５５】
ＰＤＭＳは、高分子鎖間の距離が大きく、高い気体透過係数を示す高分子膜素材の１つである。したがって、ＰＤＭＳは微細口径の多孔性膜として機能し、さらに、疎水性で、有機液体に親和性が高く、選択透過性に優れていることが報告されている。ハイブリッドシリカは、平均細孔径が０．１ないし０．６ｎｍで、数種類の媒体内で少なくとも２００℃まで熱水的に安定であるシリカをベースとする微孔質有機−無機ハイブリッド膜であり、短鎖架橋シランのゾル−ゲル処理を使用して製造することができる。ハイブリッドシリカは、気体の分離ならびに低分子量アルコールなどの様々な有機化合物からの水および他の小分子化合物の分離に適していることが報告されている。さらに、ＰＤＭＳに対して耐熱性が高く、高温での用途、たとえば、低温で蓄積して高温で放出するような濃縮を兼ねた用途に適している。拡散性多孔質膜４５は、これらに限定されない。また、拡散性多孔質膜４５の代わりに同等の機能を備えたジェルなどの半流動体を介在させてもよい。
【００５６】
センサープラットフォームであるモニター１０には、ラマン分光センサー１１に加えて、または代わりに、皮膚呼吸の成分を分析するイオン移動度センサー（ＩＭＳ）や質量分析センサー（ＭＳ）を搭載してもよい。また、分散型のセンサープラットフォーム１０であれば、呼気分析用のイオン移動度センサーや質量分析センサーを鼻孔近傍あるいは鼻孔内に取り付けてもよい。分散配置される複数のセンサーからの情報は無線または有線で収集できる。
【００５７】
図１に戻って、解析エンジン１２０は、モニター（センサープラットフォーム）１０により得られる生体内部情報を、イベント追跡ユニット１４０で得られる生体外部情報と合せて解析し、ドラッグデリバリユニット１３０により生理活性物質を生体（人体）に注入する。
【００５８】
ドラッグデリバリユニット（配送ユニット）１３０は、自動化され、非侵襲性で、複数のドラッグ注入経路（チャンネル）を備え、生体（人体）７に簡単に装着したり、貼りつけたりできるものが望ましい。一例は、ＭＥＭＳを用いた超音波、電界効果トランジスタ、ナノジェットを用いた非侵襲型のインスリンポンプまたはインジェクタである。糖尿病の患者に対する処方薬１５２の一例は、基礎インスリン（basal insulin）および追加インスリン（bolus insulin）である。
【００５９】
ドラッグデリバリユニット１３０は、モニター１０と並べて人体表面に取り付けてもよい。ドラッグデリバリユニット１３０が人体に注入する生理活性物質は、人体に予定通りに吸収または拡散する前にモニター１０により取得される生体内部情報に影響を与える可能性がある。この場合は、ドラッグデリバリユニット１３０はモニター１０から離れた、たとえば、人体の反対側に装着することが望ましい。ドラッグデリバリユニット１３０、解析エンジン１２０およびモニター１０の間の情報経路は有線であっても、無線であってもよく、さらに、それぞれが直に、またはコンピュータネットワークを介して間接的に接続されていてもよい。
【００６０】
解析エンジン１２０に生体外部情報を提供するイベント追跡ユニット１４０は、人体に装着されていてもよく、外界から人体の動作を観察するものであってもよく、患者のスケジュールを管理するサーバーに含まれていてもよく、それらが組み合わされたものであってもよい。イベント追跡ユニット１４０の典型的なものは、身体に装着可能なセンサーあるいはセンサー群である。イベント追跡ユニット１４０は、画像センサー等から得られる情報により患者の食事の有無や食事の内容を判断したり、加速度センサー等から得られる情報により患者の動作、たとえば、運動を開始したか、通常の仕事を行っているか、寝ているか、休憩中かなどを判断したりする機能を含む。
【００６１】
イベント追跡ユニット１４０は、患者の体温、皮膚表面の湿度、患者の外側の気温、湿度、風量、風向、気圧などを取得するセンサーを備えていてもよい。イベント追跡ユニット１４０は、さらに、過去の患者の動作を学習し、近未来、たとえば、一時間後、３０分後、数分後における患者の動作、たとえば食事を行ったり、運動（トレーニング）を行ったり、日常業務を行ったり、就寝、休息することを予測できる機能（学習機能）を備えていることが望ましい。
【００６２】
解析エンジン１２０は、このシステム１の制御ユニットとしての機能を備えている。解析エンジン１２０は、さらに、イベント追跡ユニット１４０から得られる生体外部情報に基づいて、今後患者自身または患者の周りで動的に発生するイベントを予想する機能（イベント予想機能）と、通常の（日常的な、静的な）イベントの発生を考慮する機能（静的イベント解析機能）と、イベント認識モジュール６０とを含む。
【００６３】
解析エンジン１２０は、さらに、センサープラットフォーム１０から得られる人体内部情報に加え、予測されるイベントを含む人体外部情報を考慮し、ドラッグデリバリユニット１３０から注入する生理活性物質、たとえば、インスリンなどのホルモン、処方薬、ミネラル、栄養素などの種類と量とを決定および制御する機能（投薬量推定機能）とを含む。解析エンジン１２０は、さらに、生理活性物質の種類と量とを決定する機能に対し、処方箋の内容、身体のサイズ特徴、既往症などのボディーパラメータをデータベースなどから取得する機能（身体パラメータモニタリング機能）と、校正する機能（キャリブレーション機能）とを含む。
【００６４】
人体に注入または投与する生理活性物質の種類および量を決定する投薬量推定機能は、生体内部情報に基づいて種類および量を決定するクローズドループ機能と、クローズドループ機能の出力に対して生体外部情報を含めた予測機能をもとに修正を加えるオープンループ機能とを含む。
【００６５】
図５にイベント認識モジュール６０の概要を示している。このイベント認識モジュール６０は解析エンジン１２０が備えていてもよく、イベント追跡ユニット１４０が備えていてもよい。イベント認識モジュール６０は、モニター１０から得られるリアルタイムＧＣＭ（Continuous Glucose Monitoring）６１の情報をイベント予想情報６２で処理して投
薬（ドラッグデリバリ）ユニット１３０を制御するためのイベント認識６３を生成する。イベント予測情報６２は、イベント追跡ユニット１４０などにより得られる、食事および食べ物を取った情報６５、運動また日常生活（日常業務）を行っている情報６６、就寝している情報６７などを基に生成される。
【００６６】
解析エンジン１２０は、さらに、サードパーティがオンラインストアー１５４などを用いて提供するアプリケーションにしたがって生理活性物質の種類および量を決定する機能６８を備えている。オンラインストアー１５４で提供されるアプリケーションの例は、糖尿病患者用プログラム、ダイエット管理用プログラム、心臓疾患用プログラム、ストレスモニタリング用プログラム、ライフスタイル管理用プログラム、予防診断用プログラム、適合診断用プログラムである。センサープラットフォーム１０により判断でき、生理活性物質による治療対象または緊急対処する疾患としては、心筋梗塞、脳梗塞、肝機能障害、腎機能障害、高脂血症などを挙げることができる。
【００６７】
解析エンジン１２０は、さらに、クラウドサービス１５６と情報を交換する機能６９を含む。クラウドサービス１５６は、医師または看護師、さらには家族などが患者をオンラインで監視するサービスを含み、オンラインモニタリング、イベントをオーバーライドして投薬のタイプや量を決めるサービス、イベントデータベースを生成する機能、遠隔地からのモニタリングサービスを含む。
【００６８】
解析エンジン１２０は、ＣＰＵおよびメモリを含むコンピュータ資源を用いて実現することも可能であり、ＬＳＩまたはＡＳＩＣであってもよく、さらに、回路を再構成可能なチップを用いて実現してもよい。
【００６９】
図６に、血中のグルコースの変化の例を示している。実線は血中のグルコースを何等かの方法で検査してインスリンを投与したケースを示している。穿刺タイプのセンサーにより血中のグルコース濃度を測定する場合、測定の遅れ（センサーラグ）がある。このため、インスリンの投与７７が遅すぎたり、早すぎたり、インスリンの量が多すぎたり、少なすぎたりすることにより、グルコース量７６が、高血糖状態７８になったり、低血糖状態７９になったりする可能性がある。最悪の場合、人体に回復不能なダメージを与えたり、死に至ることがあり得る。このようなことを避けるために、糖尿病の患者は、血糖値が変化しやすい状況の発生を未然に防ぐ必要があり、急激な運動を避けたり、食事を定期的に所定の量だけのカロリーを摂取するようにするなど、種々の制限のある生活を行う必要がある。
【００７０】
これに対し、本例の健康管理システム１においては、モニター１０により、連続して、リアルタイムに血中のグルコースを測定する。したがって、インスリンの投与量を連続して測定されるグルコース濃度に対して細やかに制御できる。さらに、イベント認識モジュール６０は、運動や、食事といったイベント（患者の活動）の発生を検出し、さらに、日常のスケジュールや、さまざまなセンサーの出力を用いて患者の活動を予測する。解析エンジン１２０は、予測された状態に対応できるように投与するインスリンの種類および量を決定する。このため、血中のグルコース濃度を、健康に影響の少ない細い幅の範囲７５に制御することができる。このため、糖尿病の患者であっても健常人と同様にスポーツを行ったり、食事をとったりすることが可能となる。
【００７１】
図７に健康管理システム１の主な動作をフローチャートに示している。ステップ８１において、モニター１のプローブ２３の観察窓２１を、ＰＤＭＳ４５を介して皮膚２の表面に装着する。ステップ８２において、観察窓２１で見える観察領域３の皮膚２の水分をラマンスペクトルで測定する。たとえば、共焦点法により皮膚表面および内部の水分量を測定でき、皮膚までの距離も測定できる。ステップ８３において、皮膚表面の水分量と、皮膚表面までの距離とにより、以降の測定で用いるレーザーの出力を調整する。皮膚２の表面の水分が多かったり、皮膚２と観測窓２１との間に隙間が空いているとレーザーの浸透力が変わるので、レーザーの出力を調整することが望ましい。皮膚２の表面の水分量は電気伝導率（導電率）を測定することにより求めてもよい。
【００７２】
ステップ８４において、レーザードップラー解析ユニット５１を用い、レーザードップラー法により、観察領域３の中の観測スポット５で、血流を検出している観測スポット５ａを判断する。血流を検出している観測スポット５ａを限定することにより、観察領域３の中の毛細血管８の位置を特定でき、毛細血管８の直上または近傍に位置する観測スポット５ａを識別できる。たとえば、波長８００ｎｍ前後のポンプ用のレーザー光３２を、観察領域３の全体に照射し、各観測スポット５から得られる拡散光２８のスペクトル（レイリー散乱）を取得し、その中に、赤血球で散乱される光のドップラーシフトの周波数の広がりが見られれば、血流の有無を判断できる。レーザー光３２をＤＭモジュール２３ａを用いて各観測スポット５に個別に照射してもよい。
【００７３】
ステップ８５において、これ以降において、測定対象となる観測スポット（第１の観測スポット）５ａを限定し、測定対象をロックする。ステップ８６において、３Ｄプロファイラー５４は、ロックされた観測スポット５ａで得られたドップラーシフトのデータから、数学モデルにしたがってロックされた観測スポット５ａの下の毛細血管８を示す深度プロファイルを生成する。
【００７４】
次に、ステップ８７において、プロファイラー５４は、さらに、ＳＯＲＳ解析ユニット５２を用い、観測スポット５ａの深度方向のプロファイルを検証する。空間オフセットラマン分光法（ＳＯＲＳ）においては、観測スポット５ａにレーザーを照射し、観測スポット５ａから離れた、観測スポット５ａの周囲の観測スポット５において散乱光２８を取得することにより皮膚２の下の深部組織からのラマンスペクトルを得る。レーザーの照射角度を調整して深度方向のプロファイル生成用のラマンスペクトルを取得してもよい。
【００７５】
ステップ８８において、ロックされた観測スポット５ａの深度プロファイルも含めた３Ｄプロファイル５７が得られると、プロファイラー５４は、毛細血管８が存在するであろう測定対象（ターゲット部分）の深さ方向の位置を決定する。これにより、ターゲット部分の３次元的な位置が決まる。
【００７６】
ステップ８９において、ＣＡＲＳ解析ユニット５３が、コヒーレント反ストークスラマン分光法（ＣＡＲＳ）により、測定対象の位置からＣＡＲＳスペクトルを取得する。ＣＡＲＳ解析ユニット５３は、ロックされた観測スポット５ａまたはその周辺の観測スポット５に、設定された深度で交差するように、選択的に、可変長レーザーをストークス光３１および／またはポンプ光３２として照射する。これにより、ロックされた観測スポット５ａから、設定された深度に存在する成分で、ストークス光３１およびポンプ光３２により設定される波長条件に合致する成分からの反ストークスラマン散乱光２８を取得できる。このため、ディテクタ４０は、毛細血管８が存在するであろう皮膚下の位置の組織からのＣＡＲＳスペクトルを検出できる。したがって、他の組織からのラマンスペクトルで毛細血管８の情報が薄められたり、平均化されることがなく、低ノイズの情報が得られる。
【００７７】
個々の観測スポット５ａからの散乱光２８をディテクタ４０に供給するためには、多焦点を形成可能なマルチファイバーとＤＭまたはＭＥＭＳタイプのシャッターとの組み合わせを備えた入力ユニット２３ｂを用い、他の観測スポット５からの散乱光２８をシャットアウトすることが望ましい。
【００７８】
さらに、ストークス光３１およびポンプ光３２を可変長とし、照射位置をロックされた観測スポット５ａまたはその周囲に限定することにより、ディテクタ４０の側は位置的な解像度と波長選択性とが不要となる。このため、反応速度が速く、精度の高いフォトディテクタを採用できる。このため、ストークス光３１およびポンプ光３２を短時間のパルス光で供給でき、たとえば、ピコ秒またはフェムト秒単位のパルス光で供給できる。
【００７９】
したがって、皮膚２がレーザー光により損傷することを未然に防止でき、人体への影響を抑制しながら、長時間にわたり継続して毛細血管８からの情報を取得できる。また、皮膚２との間にＰＤＭＳ４５などの多孔質膜を挟むことにより皮膚２に対するレーザー光の影響をさらに軽減できる。
【００８０】
ステップ９０において、ＣＡＲＳ解析ユニット５３は、グルコース、ヘモグロビンＨｂＡ１ｃなどの情報をＣＡＲＳスペクトルから抽出して第１の情報５８として生体情報生成ユニット５６へ供給する。生体情報生成ユニット５９は、血液中の第１の情報５６と、必要であれば、プロファイラー５４が３Ｄプロファイルを生成する過程で収集した情報を集約して生体内部情報５９として解析エンジン１２０に供給する。
【００８１】
ステップ９１において、ＣＡＲＳ解析ユニット５３は、一定の間隔で、測定対象（ターゲット部分）として設定された深度を変化させたＣＡＲＳスペクトルを取得する。深さ方向（垂直方向）に変化するラマンスペクトルに含まれるグルコース濃度から、ターゲット部分の深度のスペクトルが、深度の異なる部分のスペクトルに対して血管のスペクトルとして適しているかを判断する。これにより、常に深度プロファイル５７を検証できる。ステップ９２において、ターゲット部分から得られる情報が血管として適していない場合は、ステップ８４に戻って、３Ｄプロファイル５７を更新したり、再生成する。
【００８２】
深度プロファイル５７の検証に用いられるラマンスペクトル成分は、グルコースに限らず、ヘマトクリット、アルブミンなどの血管中に、周囲よりもさらに高い濃度で存在する成分であってもよい。
【００８３】
ＣＡＲＳ解析ユニット５３は、深度方向を変えてＣＡＲＳスペクトルを取得する際に、ストークス光３１またはポンプ光３２の角度を変え、所定の観測スポット５ａからシフト（オフセット）された位置でＣＡＲＳスペクトルを取得するようにしてもよい。空間オフセットされたＣＡＲＳスペクトル（ＳＯＣＡＲＳスペクトル）を取得することにより、深度方向のプロファイルの精度をさらに向上できる。
【００８４】
ＣＡＲＳの代わりに、あるいはＣＡＲＳとともに、共鳴ラマン分光法でスペクトルを取得してもよい。複数のラマン分光センサー１１のデータを組み合わせて３Ｄのラマンスペクトルを取得してもよい。
【００８５】
ステップ９０において、解析エンジン１２０は、グルコースに限らず、血管を流れる血液中に存在するグルコース以外の化学成分や、赤血球などの細胞や、アルブミンなどのタンパク質などを含めた血液成分であって、ラマンスペクトルから推定できるすべての成分を含む生体内部情報を取得できる。
【００８６】
ステップ９３において、解析エンジン１２０は、イベント追跡ユニット１４０から生体外部情報をさらに取得し、ステップ９４において、生体内部情報および生体外部情報に基づき投薬ユニット１３０において投薬する生理活性物質のタイプおよび量を判断する。そして、ステップ９５において、投薬ユニット１３０は、解析エンジン１２０の分析結果に基づいて所定の生理活性物質、たとえば、インスリンを投与する。
【００８７】
以上に説明したように、健康管理システム１は、連続したクローズドループで、非侵襲のヘルス・バイタルコントロールプラットフォームであり、非侵襲の波長がプログラマブルの分光装置を含み、さらに、身体のアクティビティ及びイベント追跡ユニットと、制御ユニットと、投薬ユニット（ドラッグデリバリユニット）が一体となり、自動的に測定部分の自動調整を行うことができるものである。非侵襲の光学的質量分析技術が血液を基本とした測定に使われる。センサープラットフォームであるモニター１０は、チューナブルレーザーを持つ、ＭＥＭＳベースの光学装置であり人体との接触部分には、高浸透性の膜組織（薄膜）が用いられる。
【００８８】
また、このシステム１は、プラットフォームとして利用され、新しい方法（治療方法）や処理方法をダウンロードして用いる拡張性を含む。
【００８９】
上記には、生体表面から生体内部の状態を監視するモニターであって、前記生体表面に装着される観察窓を含むプローブと、前記観察窓を介してアクセスされる前記生体表面の観察領域の少なくとも一部にレーザーを照射するユニットと、前記観察領域に２次元に分散するように断続的に、または、前記観察領域をスキャンするように連続的に形成される複数の観測スポットのそれぞれから、レーザー照射に起因する散乱光を検出するユニットと、前記複数の観測スポットから得られる散乱光に基づき、前記複数の観測スポットの中から前記生体内部のターゲット部分の情報を含む散乱光が得られると判断される第１の観測スポットを限定するユニットと、前記第１の観測スポットまたはその周りの観測スポットから、少なくとも１つの成分の分光スペクトルを取得し、その強度に基づき前記生体内部の状態を示す第１の情報を出力するユニットとを有するモニターが開示されている。
【００９０】
モニターは、前記第１の観測スポットまたはその周りにおいて、前記生体表面からの深度の異なる複数の部分の、第１の成分の分光スペクトルを取得し、前記第１の成分の分光スペクトルの強度に基づき、前記第１の観測スポットをさらに限定または更新するユニットを有してもよい。前記プローブは、前記照射するユニットからレーザーを前記複数のスポットのそれぞれに選択的に導く出力ユニットを含んでもよい。前記プローブは、前記複数の観測スポットのそれぞれから散乱光を前記検出するユニットに導く入力ユニットを含んでもよい。前記複数の観測スポットが前記観察領域に１〜１０００μｍの間隔で設定されてもよい。前記複数の観測スポットが前記観察領域に１０〜１００μｍの間隔で設定されてもよい。前記プローブは、拡散性多孔質膜を介して前記生体表面に前記観察窓を密着してもよい。
【００９１】
さらに、上記に記載のモニターと、前記第１の情報に基づき、生体に生理活性物質を与える配送ユニットとを有するシステムが開示されている。システムは、さらに、生体の外部状態を取得または予測する行動監視ユニットと、前記第１の情報に加え、前記行動監視ユニットからの情報により、前記配送ユニットから生体に与える生理活性物質の量または種類を制御するユニットとを有していてもよい。システムは、前記第１の情報および前記配送ユニットの動作状況を外部に出力するユニットを有していてもよい。
【００９２】
また、上記には、生体表面から生体内部の状態を監視するモニターを含むシステムの制御方法が開示されている。前記モニターは、前記生体表面に装着される観察窓を含むプローブと、前記観察窓を介してアクセスされる前記生体表面の観察領域の少なくとも一部にレーザーを照射するユニットと、前記観察領域に２次元に分散するように断続的に、または、前記観察領域をスキャンするように連続的に形成される複数の観測スポットのそれぞれから、レーザー照射に起因する散乱光を検出するユニットとを含む。当該制御方法は、前記複数の観測スポットから得られる散乱光に基づき、前記複数の観測スポットの中から前記生体内部のターゲット部分の情報を含む散乱光が得られると判断される第１の観測スポットを限定することと、前記第１の観測スポットまたはその周りの観測スポットから、少なくとも１つの成分の分光スペクトルを取得し、その強度に基づき前記生体内部の状態を示す第１の情報を出力することとを含む。
【００９３】
当該制御方法は、（１）複数の観測スポットのそれぞれの観測スポットから散乱光を取得して、レーザードップラー効果により複数の観測スポットの中から皮下血管に関連する第１の観測スポットを求めることと、（２）第１の観測スポットまたはその周りにおいて、生体表面からの深度の異なる複数の部分の、第１の成分の分光スペクトルを取得し、第１の成分の分光スペクトルの強度に基づき、生体表面下のターゲット部分を判断することと、（３）ターゲット部分の少なくとも１つの成分の分光スペクトルの強度に基づき生体の内部状態を示す第１の情報を出力することとを含んでいてもよい。
【００９４】
当該制御方法は、さらに、前記第１の観測スポットまたはその周りにおいて、前記生体表面からの深度の異なる複数の部分の、第１の成分の分光スペクトルを取得することと、前記第１の成分の分光スペクトルの強度に基づき、前記第１の観測スポットをさらに限定または更新することとを含んでもよい。
【００９５】
さらに、前記システムは、生体に生理活性物質を与える配送ユニットを有してもよく、当該方法は、前記第１の情報に基づき、前記配送ユニットが配送する生理活性物質および量を選択することを含んでもよい。前記システムは、生体の外部状態を取得または予測する行動監視ユニットを有してもよく、前記選択することは、前記第１の情報に加え、前記外部状態の情報により、前記配送ユニットが配送する生理活性物質の量または種類を選択することを含んでもよい。
【００９６】
近赤外分光法、ラマン分光法などの分光分析技術を用いて血液などの体液中に存在する化合物や、皮下組織を分析することができ、さらに、その分析結果に基づいて体液中の生化学物質、細胞成分などを分析できる。このため、分光分析により生体情報を取得できるはずである。しかしながら、生体中の各部分において生化学物質の濃度や、細胞成分は異なる。このため、取得された情報は、生体表面下の様々な構造の情報を含み、目的とする情報が他の情報やノイズに埋もれてしまい、生体の状態を推定することが難しい。
【００９７】
上記のモニターおよび制御方法においては、プローブの観察窓を介してアクセスできる生体表面の観察領域に複数の観測スポットを設定する。さらに、複数の観測スポットの全てのデータを用いるのではなく、限定するユニットにより複数の観測スポットの一部にロックして分光スペクトルを取得し、そのデータに基づいて生体の内部情報を示す第１の情報を出力する。したがって、生体表面下の限られた部分に関する情報を選択的に取得できるので、目的とする情報が他の情報やノイズに埋もれてしまうことを抑制できる。
【符号の説明】
【００９８】
２  生体表面、  ３  観察領域
１０  モニター、  ２１  観測窓、  ２３  プローブ
２５  レーザーを照射するユニット
【図１】
2020168414.tif 000003
【図２】
2020168414.tif 000004
【図３】
2020168414.tif 000005
【図４】
2020168414.tif 000006
【図５】
2020168414.tif 000007
【図６】
2020168414.tif 000008
【図７】
2020168414.tif 000009